(57)【要約】 【課題】球を円滑に送出することができ且つ球タンクの下方のスペースを広く取ることができる遊技機の球整列レールを提供する。【解決手段】  球タンク１内を多段多列の状態で流下する球を受け入れてレール本体２１に設けた下流側凹条部２３にて一段一列に整列して送出する球整列レール２において、  レール本体２１の側壁に拡幅部を設け、この拡幅部に対向する他方の側壁には、二段目以上の球を拡幅部に沿わせるように偏向させるための球偏向用隆起３１を配置するとともに、レール本体２１の上側開放部に、球均し用の天井板３を設けた。天井板３は傾斜部３２と段部３３とを備える。【選択図】    図１
2007143726.tif 000002
【特許請求の範囲】
【請求項１】
球タンク内を多段多列の状態で流下する球を受け入れてレール本体に設けた凹条部にて一段一列に整列して送出する球整列レールにおいて、
レール本体の側壁に拡幅部を設け、この拡幅部に対向する他方の側壁には、二段目以上の球を拡幅部に沿わせるように偏向させるための球偏向用隆起を配置するとともに、
レール本体の上側開放部に、球均し用の天井板を設けたことを特徴とする遊技機の球整列レール。
【請求項２】
凹条部を球タンクの底面に接続するとともに、この凹条部が前記底面と接続する部分に湾曲部を形成して、球の流下を加速するようにしたことを特徴とする請求項１に記載の遊技機の球整列レール。
【請求項３】
天井板を、傾斜部と段部とを有するものとしたことを特徴とする請求項１又は２に記載の遊技機の球整列レール。
【請求項４】
拡幅部と球偏向用隆起とを複数設けたことを特徴とする請求項１〜３の何れかに記載の遊技機の球整列レール。
【請求項５】
天井板に傾斜部を複数設けたことを特徴とする請求項３又は４に記載の遊技機の球整列レール。
【請求項６】
レール本体の向きを球タンク内の球の流下方向と同一として、レール本体を球タンクの端部に接続したことを特徴とする請求項１〜５の何れかに記載の遊技機の球整列レール。
【請求項７】
球タンクは、球の流下方向と平行する球タンクの側壁が両側から段違いに縮幅して、下流端側壁に接続されたものであることを特徴とする請求項１〜６の何れかに記載の遊技機の球整列レール。
【請求項８】
球タンクの下流側端部に、球の流下方向と逆傾斜する傾斜面を設けた請求項１〜７の何れかに記載の遊技機の球整列レール。
【請求項９】
レール本体を球タンクと一体に成形した請求項６〜８の何れかに記載の遊技機の球整列レール。
【請求項１０】
球偏向用隆起を天井板と一体に成形した請求項１〜９の何れかに記載の遊技機の球整列レール。
【発明の詳細な説明】
【技術分野】
【０００１】
本発明は、球タンクから受け入れた球を一段一列に整列させて払い出すための遊技機の球整列レールに関するものである。
【背景技術】
【０００２】
パチンコ機の裏面には、例えば特許文献１に示されているように、球タンクの下方には、球整列レールと球計数払出装置が配置されており、球整列レールは、球タンクから流入した球を一段一列に整列させて球計数払出装置に供給する。このように従来は球整列レールは、球が球タンクとは逆方向に流下するように球タンクの下方に配置されていたので、役物の大型化に際して設置スペースを広く確保することができないという問題があった。
【０００３】
そこで、本願の出願人は、箱体の一端に複数列の球誘導樋を設けて、球を複数列に仕分けて送出する球タンクを備えた球送出機構を、特許文献２として開示した。当該開示に係る球タンクは、球を球タンク内で整列させるので、球整列レールを別個に設ける必要がなく、したがって、球タンクの下方のスペースを広く取ることができるという利点がある。
しかしながら、当該球タンクにおいては誘導樋を長くするために横方向に大きく湾曲させていたので、構造が複雑であるうえに球の流れに抵抗がかかりやすいものであった。
【特許文献１】特開２００１−６２１０４号公報  (図２)
【特許文献２】特開２００５−１９８７６９号公報  (図２)
【発明の開示】
【発明が解決しようとする課題】
【０００４】
本発明は、上記した従来の問題点に鑑み、球を円滑に送出することができ且つ球タンクの下方のスペースを広く取ることができる遊技機の球整列レールを提供することを課題とする。
【課題を解決するための手段】
【０００５】
上記の課題を解決するためになされた本発明の遊技機の球整列レールは、球タンク内を多段多列の状態で流下する球を受け入れてレール本体に設けた凹条部にて一段一列に整列して送出する球整列レールにおいて、
レール本体の側壁に拡幅部を設け、この拡幅部に対向する他方の側壁には、二段目以上の球を拡幅部に沿わせるように偏向させるための球偏向用隆起を配置するとともに、
レール本体の上側開放部に、球均し用の天井板を設けたことを特徴とするものである。
【０００６】
上記した発明において、凹条部を球タンクの底面に接続するとともに、この凹条部が前記底面と接続する部分に湾曲部を形成して、球の流下を加速することができ、
前記天井板を、傾斜部と段部とを有するものとすることができ、
前記拡幅部と球偏向用隆起とを複数設けることができ、天井板に前記傾斜部を複数設けることができる。
【０００７】
また、レール本体の向きを球タンク内の球の流下方向と同一として、レール本体を球タンクの端部に接続することができ、
球タンクを、球の流下方向と平行する球タンクの側壁が両側から段違いに縮幅して、下流端側壁に接続されたものとすることができ、
さらに、球タンクの下流側端部に、球の流下方向と逆傾斜する傾斜面を設けることができる。
また、レール本体を球タンクと一体に成形することができるし、球偏向用隆起を天井板と一体に成形することもできる。
【発明の効果】
【０００８】
請求項１に係る発明は、球偏向用隆起で上段の球を拡幅部に偏向させたうえ、天井板が上段の球を押さえるので、上段の球の流れを下段の球より遅れさせて多段の球を一段に均すことができる。
請求項２に係る発明は、湾曲部で球の流下を加速することができるので、球の流れを途切れさすことがない。
請求項３に係る発明は、傾斜部で球を確実に均すことができる。
請求項４に係る発明は、複数の拡幅部と球偏向用隆起とで、よりスムーズに球を一段に均すことができる。
請求項５に係る発明は、複数の傾斜部で球をより確実に均すことができる。
請求項６に係る発明は、球タンクの下方に球整列レールを設けないので、球タンクの下方のスペースを広く取ることができる。
請求項７に係る発明は、球圧が球タンクの出口に集中するのを分散できるので、球がブリッジを形成したりして詰まるのを防止できる。
請求項８に係る発明は、逆傾斜する傾斜面上の球で球タンクの底面を流下する球に適度な抵抗をかけるので、球整列レールの入り口での球詰まりを防止することができる。
請求項９、１０に係る発明は、部品点数を削減することができる。
【発明を実施するための最良の形態】
【０００９】
以下に本発明の実施形態について説明する。
図１は、遊技機の球払出し構造を示す正面断面図であって、１は球タンク、２は球整列レール、４は球計数払出装置である。また、図２は球タンク１に接続された球整列レール２の平面図である。球整列レール２は、図３、５に示すように凹状のレール本体２１の上側開放部２８に、図４に示す形状の天井板３が施蓋されたものである。
【００１０】
球タンク１は、一方に低く傾斜する底面１１と、球の流下方向と平行に形成された側壁１２と、下流端側壁１８、上流端側壁１９とを備える。そして、側壁１２の下流側の側壁１３ａ、１３ｂは両側から段違いに縮幅されて下流端側壁１８と接続されている。すなわち、図２において上側の側壁１３ａは下側の側壁１３ｂより上流側で屈折されて両側の側壁１３ａと１３ｂとが非対称に形成されている。これによって球タンク１の下流端側壁１８に球圧が集中するのを分散して、球がブリッジを形成して詰まるのを防止することができる。
【００１１】
球タンク１の下流側端部には、球の流下方向と逆傾斜する傾斜面１４を設けてある。傾斜面１４上の球は、球タンク１の底面１１を流下する球に適度な抵抗をかけることができるので、球タンク１の下流端側壁１８に集中する球圧を小さく抑えて、球詰まりが発生するのを防止することができる。
【００１２】
球整列レール２は、その向きを球タンク１内の球の流下方向と同一方向として、球タンク１の端部に接続されている。すなわち、球整列レール２において球はＵターンすることなく、球タンク１内の球の流下方向と同一方向に流下するように、球タンク１の下流側端部に延設されている。したがって、球タンク１の下方に球整列レール２を設けることがないので、球タンク１の下方のスペースを広く取ることができる。なお、レール本体２１は球タンク１と一体成形されている。本実施形態の球整列レール２は、球タンク１が一体成形されたレール本体２１の上側開放部２８に天井板３を施蓋して組み立てられたものである。
【００１３】
球タンク１の底面１１の下流側には、球を一列に整列して流下させる上流側凹条部１５が中央側壁１６を介して２本設けられている。この上流側凹条部１５に取り込まれた球は、多段一列の状態となって流下する。
【００１４】
レール本体２１の底面２２には下流側凹条部２３が形成され、この下流側凹条部２３は上流側凹条部１５と直線的に連通して一本の凹条部２０となっている。下流側凹条部２３の終端には球送出口２９が設けられている。下流側凹条部２３は、上流側凹条部１５から流下した多段一列状態の球を一段一列に均すためのものである。すなわち、レール本体２１の側壁２４には拡幅部２５が設けられ、拡幅部２５に対向する他方の中央側壁１６には球偏向用隆起３１が配置されていて、図５に示すように二段目以上の球の流下を拡幅部２５に沿わせるように偏向させて、球の流下を下段の球より遅れさせることができる。また、拡幅部２５には、下流側凹条部２３に向けて低くなる傾斜底面２６が設けてあって、拡幅部２５に偏向された球を下流側凹条部２３に流入させて一段に均すことができる。
なお、拡幅部２５と球偏向用隆起３１とは、図２のように２ヶ所設けることができるし、３ヶ所以上設けることもできる。２７はごみ抜き用の長孔である。
【００１５】
また、レール本体２１の上側開放部２８には、球の流下方向に徐々に低く傾斜する天井板３が嵌め込まれている。天井板３は、傾斜部３２と段部３３とが形成されたものである。多段となって流下する球を傾斜部３２に当接させることで一段に均すことができる。さらに、本実施例のように傾斜部３２を複数設けることで、球整列レール出口での球詰まりを防止し、よりスムーズに球を一段に均すことができる。
なお、前記した球タンク1の下流端側壁１８は天井板３の上流側端部に立設されており、天井板３がレール本体２１に嵌め込まれたときに球タンク１の下流端に位置する。
【００１６】
また、前記球偏向用隆起３１は、天井板３に一体成形により下向きに垂設されていて、中央側壁１６の上端側から嵌め込んで拡幅部２５と対向するように配置できる構造となっている。天井板３と球偏向用隆起３１をともに上段の球に接触させることで各々を単独で用いる場合より球の流れ抵抗を増加させることができる。この場合、各々を単独で用いる場合よりも上段の球の流れを遅くできるので、球の一段化をより速く行うことができる。その結果、球整列レール２を短縮できる。また、球計数払出装置４に屈曲路を設けることなく球整列レール２を直結することができる。
【００１７】
また、上流側凹条部１５が球タンク１の底面１１とつながる部分には上方に向けて湾曲する湾曲部１７を設けてある。この湾曲部１７によって、最後の球の流下を加速させて球の流れを途切れさすことなく送出して、球計数払出装置４において球噛みが発生するのを防止することができる。また、湾曲部１７は底面が湾曲状であるので、球並びが不規則化する。そのため、球が不安定になり球が崩れやすくなる。さらに、球並びの不規則化により球圧が分散し、球がブリッジを形成しにくくなるために球詰まりを防止できる。
【００１８】
球計数払出装置４は、図６に示すような構造のものであって、軸４１に装着されたロータ４２と球計数装置４３とを備える。ロータ４２と球計数装置４３は下流側凹条部２３の数と位置に対応して設けられている。ロータ４２は球取り込み用の凹部４４を有し、軸４１に取り付けられたギア４５を介してモータＭによって回転されて、球を送出することができる。
【００１９】
以上のように構成されたものにおいては、球タンク１内の多段多列状の球が上流側凹条部１５に流入したのち、多段一列となって送出口２９に向けて下流側凹条部２３内を流下する。球整列レール２には、球の流下方向に低く傾斜する天井板３が嵌め込まれているので、天井板３が上段の球と接触することにより上段の球の流下を後方に遅らせて球を一段に均すことができる。また、球が偏向用隆起３１に至ったときに上段の球は、拡幅部２５の方向に偏向されて球の流下が下段の球より遅れる。拡幅部２５には、下流側凹条部２３に向けて低くなる傾斜底面２６が設けてあるので、拡幅部２５に偏向された球を下流側凹条部２３に横から割り込ませて球を確実に一段に均すことができる。
なお、本発明の球整列レール２が接続される球タンク１は、その形状が傾斜面１４や段違いの側壁１３ａ、１３ｂを有するものに限定されるものではない。
【図面の簡単な説明】
【００２０】
【図１】遊技機の球払出し構造を示す正面の断面図である。
【図２】天井板を透視して示す球整列レールと球タンクの平面図である。
【図３】球タンクに接続されたレール本体の平面図である。
【図４】天井板を透視して示す平面図である。
【図５】図１のＡ−Ａ線断面図である。
【図６】球計数払出装置の斜視図である。
【符号の説明】
【００２１】
１  球タンク、２  球整列レール、３  天井板、１３ａ  側壁、１３ｂ  側壁、１４  傾斜面、１５  上流側凹条部、２０  凹条部、２１  レール本体、２３  下流側凹条部、２５  拡幅部、３１  球偏向用隆起、３２  傾斜部、３３  段部
【図１】
2007143726.tif 000003
【図２】
2007143726.tif 000004
【図３】
2007143726.tif 000005
【図４】
2007143726.tif 000006
【図５】
2007143726.tif 000007
【図６】
2007143726.tif 000008